(57)【要約】【課題】車内でフラットな床と家具等を装着／脱着に設置することを可能にした車両用インテリアキット連結機構を提供することを目的とする。【解決手段】車内底壁に敷かれる各種サイズの床部材５と、流し台キット７や家具類を収納する収納部材６と、各収納部材６を連結する連結部材８と、連結部材８同士を連結する連結枠体９と、床部材５の床下に設けた骨材枠部材１０と、収納部材６の下部に配設される台部材１１などにより、車内を容易にキャンピングカー仕様にする。【選択図】図２
2012192918.tif 000002
【特許請求の範囲】
【請求項１】
車内底壁に敷かれるフラットな床部材と、
車内に設置される家具等を着脱可能に保持する収納部材と、
前記床部材と前記収納部材を連結する連結部材とを備え、
前記連結部材が複数の軸体からなり、互いに着脱可能に嵌合する構造になっていることを特徴とする車両用インテリアキット連結機構。
【請求項２】
前記床部材の床下に、延長床を構成するための骨材枠部材が設けられていることを特徴とする請求項１に記載の車両用インテリアキット連結機構。
【請求項３】
前記収納部材の枠組が前記連結部材から構成されていることを特徴とする請求項１に記載の車両用インテリアキット連結機構。
【請求項４】
前記家具類として流し台キットを設けたことを特徴とする請求項１に記載の車両用インテリアキット連結機構。
【請求項５】
前記流し台キットに、水供給用に複数のペットボトルを保持する部位を設けたことを特徴とする請求項１又は４に記載の車両用インテリアキット連結機構。
【発明の詳細な説明】
【技術分野】
【０００１】  本発明は、キャンピングカー等の内部でフラットな床を自在に設置、連結及び脱着できる機能を持ち、尚且つ、床にレールを付設して簡易に家具等を脱着可能にする連結機構を具備したキャンピングカー等の車両用インテリアキット連結機構に関するものである。
【背景技術】
【０００２】  従来のキャンピングカーは、その車ごとに床及び収納家具等が付帯設備として設置されるのが一般的である。【０００３】  しかし、床及び収納家具等の着脱については一般人では殆ど不可能に近く、専門業者に委託するのが大半である。【０００４】  普通乗用車において、座席や背もたれに関しては、床等に対して着脱可能に取り付けるようにした構造のものが知られている（例えば、特許文献１，２）。
【先行技術文献】
【特許文献】
【０００５】
【特許文献１】実開平７−２３４５１号公報
【特許文献２】特公平６−７６０２９号公報
【発明の概要】
【発明が解決しようとする課題】
【０００６】  本発明は、従来のかかる実情に鑑みてなされたものであり、キャンピングカー等において床面の設置の簡素化、大きさの調整を可能にでき、家具の簡易着脱機能を図った車両用インテリアキット連結機構を提供するものである。【０００７】  尚且つ、価格を抑え自己設置可能であって、オプションの多様化を図った車両用インテリアキット連結機構を提供するものである。
【課題を解決するための手段】
【０００８】  本発明の車両用インテリアキット連結機構は、車内底壁に敷かれるフラットな床部材と、車内に設置される家具等を着脱可能に保持する収納部材と、前記床部材と前記収納部材を連結する連結部材とを備え、前記連結部材が複数の軸体からなり、互いに着脱可能に嵌合する構造になっていることを特徴とする。【０００９】  また、本発明の車両用インテリアキット連結機構は、前記床部材の床下に、延長床を構成するための骨材枠部材が設けられていることを特徴とする。【００１０】  また、本発明の車両用インテリアキット連結機構は、前記収納部材の枠組が前記連結部材から構成されていることを特徴とする。【００１１】  また、本発明の車両用インテリアキット連結機構は、前記家具類として流し台キットを設けたことを特徴とする。【００１２】  また、本発明の車両用インテリアキット連結機構は、前記流し台キットに、水供給用に複数のペットボトルを保持する部位を設けたことを特徴とする。
【発明の効果】
【００１３】  本発明の車両用インテリアキット連結機構により、車両の奥行きに左右されず自在に床や家具類が設置され、キャンピングカーとして使用しない場合でも車内空間を別途使用可能にし、非設置時に車内清掃が簡単になる。
【図面の簡単な説明】
【００１４】
【図１】本発明の車両用インテリアキット連結機構の一実施形態を説明するための車両内部を平面から見た説明図である。
【図２】本実施形態における床部材と収納部材と流し台キットの各部の分解斜視図である。
【図３】（ａ），（ｂ）は本実施形態における連結部材と連結枠体との関連構造を示す側面図である。
【図４】（ａ），（ｂ）は本実施形態における連結部材と床部材の床下に設けられる骨材枠部材との関連構造を示す側面図である。
【図５】本実施形態における連結部材と床部材の床下の骨材枠部材との連結を示す斜視図である。
【図６】図５における本実施形態の連結部分の拡大斜視図である。
【発明を実施するための形態】
【００１５】  以下に本発明の好適な実施形態を図面にて説明する。
【００１６】  図１は本発明の車両用インテリアキット連結機構の一実施形態を説明するための車両内部を平面から見た説明図であり、１は車両本体、２はハンドルなどが設けられた車両のフロント側、３は運転席部分、４は車両のリア側であって、５は車内底壁に敷かれるフラットな床部材、６は車内に設置される家具等を着脱可能に保持する収納部材、７は流し台キットである。
【００１７】  図２は本実施形態における床部材５と収納部材６と流し台キット７の各部の分解斜視図であり、本例では、大面積及び小面積の大小３つの床部材５と、家具類が未だ収納されていない枠組状態の３つの収納部材６と、流し台キット７が収納されている収納部材６と、後述するように収納部材６等を構成する連結部材８と、連結部材８同士を連結する連結枠体９と、床部材５の床下に設けられている骨材枠部材１０と、収納部材６の下部に配設される台部材１１とからなっている。
【００１８】  収納部材６と台部材１１の枠組は複数本の連結部材８を組み立てて構成されており、流し台キット７が収納されている収納部材６のように、連結部材８により上部に小型の収納部材６−１を設けることもできる。
【００１９】  流し台キット７として、本例では、上段に水を貯蔵する複数本のペットボトル１２を収納する部分を設け、中段に流し台１３を設け、下段に排水用ポリタンク１４を設置する部位を設けて、各部を給排水用のホースなどで連結している。
【００２０】  図３（ａ），（ｂ）は本実施形態における連結部材８と連結枠体９との関連構造を示す側面図であり、（ａ）は分離状態、（ｂ）は嵌合結合状態を示しており、連結部材８は、金属あるいは高強度のプラスチックからなる軸状体であって、中央にコア部８ａを有し、４隅に中空部８ｂを有する対称形状を成しており、各中空部８ｂの対向部分に係止爪部８ｃが形成されているものである。
【００２１】  連結枠体９は、金属あるいは高強度のプラスチックからなる長物体であって、略Ｘ字状を成す軸状体であり、四方に伸びて連結部材８の係止爪部８ｃと係合する係合爪部９ａを有している。本例では、この連結枠体９も連結部材８に含まれる。
【００２２】  図４（ａ），（ｂ）は本実施形態における連結部材８と床部材５の床下に設けられる骨材枠部材１０との関連構造を示す側面図であり、（ａ）は分離状態、（ｂ）は結合状態を示しており、骨材枠部材１０は、金属あるいは高強度のプラスチックからなるレール機能を有するものであり、略逆Ｌ字状（取り付け状態によってはＬ字状）を成すものであって、一側部に連結部材８の係止爪部８ｃと係合する係合爪部１０ａを有している。
【００２３】  図５は連結部材８と床部材５の床下の骨材枠部材１０との連結を示す斜視図、図６は図５における連結部分の拡大斜視図であり、床部材５の下部両側に沿ってそれぞれ連結部材８が固定され、連結部材８の間に骨材枠部材１０が対向設置（図では一方のみを示している）されている。
【００２４】  骨材枠部材１０の間に、図４（ｂ）にて説明したように、矩形状に組み立てられた連結部材８のユニットを挿入し、このユニットの一部を床部材５から露出するように設置する。そして、矩形状に組み立てられた連結部材８の端部から、延長床となる他の床部材５を挿入して連結する。このようにして車内底壁の全域に床部材５をフラットな状態で敷くことができる。
【００２５】  上述したようにして、連結部材８と連結枠体９と骨材枠部材１０を用いて、各部位の連結部材８と連結枠体９と骨材枠部材１０とを適宜連結／結合することにより、図２の状態から図１に示すように車内をキャンピングカー内部のようにすることができる。
【００２６】  連結部材８と連結枠体９と骨材枠部材１０とについては、互いにあるいは一方を抜き差し自在／装着自在／着脱自在のように寸法設定することにより、車内を好みの仕様に変えることが容易になる。
【００２７】  なお、本実施形態の説明のため図示した各部材の形状や寸法などは、図示したものに限定されず、仕様や使用目的等に合わせて適宜設計する必要がある。
【産業上の利用可能性】
【００２５】  本発明は、キャンピングカーやライトバンタイプの車、あるいは普通乗用車にも適用可能である。
【符号の説明】
【００２６】１  車両本体
２  車両のフロント側
３  運転席部分
４  車両のリア側
５  床部材
６，６−１  収納部材
７  流し台キット
８  連結部材
９  連結枠体
１０  骨材枠部材
１１  台部材
１２  ペットボトル
１３  流し台
１４  排水用ポリタンク
【図１】
2012192918.tif 000003
【図２】
2012192918.tif 000004
【図３】
2012192918.tif 000005
【図４】
2012192918.tif 000006
【図５】
2012192918.tif 000007
【図６】
2012192918.tif 000008